(57)【要約】【課題】  複数の扉部材が可変表示手段を遮蔽する方向又は露出させる方向に移動する際に、隣り合う扉部材の相互位置関係を安定させるとともに、構造の簡素化を図ることのできる遊技機用演出装置とそれを用いた遊技機を提供する。【解決手段】  引張コイルばね５０は、３枚の扉部材３１，３２，３３のうち最も前方側に位置して最後に閉鎖方向への移動を開始する付勢扉３３と、ケーシングとの間に掛け渡され、付勢扉３３に作用して閉鎖方向とは反対の開放方向に付勢している。第一係合部６０は始動扉３１と中間扉３２との間に配置され、電動モータ４０から始動扉３１へもたらされた駆動力を中間扉３２へ動力伝達する。第二係合部７０は中間扉３２と付勢扉３３との間に配置され、電動モータ４０から始動扉３１を経て中間扉３２へもたらされた駆動力を、中間扉３２からさらに付勢扉３３へ動力伝達する。【選択図】  図３
2008220694.tif 000002
【特許請求の範囲】
【請求項１】
遊技盤に配置されてその遊技盤上での遊技状態の変化に応じた演出表示を行う可変表示手段と、
その可変表示手段の遊技者側となる前方側において複数の扉部材が前後方向に重なり合うように配置されるとともに、各扉部材が前記可変表示手段に沿って互いに平行な異なる直線状ルートを閉鎖方向へ向って所定の順序で移動することにより、前記可変表示手段の表示領域を遮蔽可能な遮蔽手段と、
その遮蔽手段が前記閉鎖方向へ移動する際に最初にその閉鎖方向への移動を開始する扉部材を始動扉としたとき、その始動扉に駆動力を及ぼして移動を開始させるための駆動手段と、
同じく最後に前記閉鎖方向への移動を開始する扉部材を付勢扉としたとき、その付勢扉に作用して前記閉鎖方向とは反対の開放方向に付勢する付勢手段と、
前記始動扉と付勢扉とを含む複数の扉部材が移動する際に互いに隣り合うこととなる扉部材間に配置され、前記駆動手段から前記始動扉へもたらされた駆動力を後続の扉部材へ順次動力伝達するための１又は複数の連動手段と、
を備えることを特徴とする遊技機用演出装置。
【請求項２】
遊技盤に配置されてその遊技盤上での遊技状態の変化に応じた演出表示を行う可変表示手段と、
その可変表示手段の遊技者側となる前方側において３枚の扉部材が前後方向に重なり合うように配置されるとともに、各扉部材が前記可変表示手段に沿って互いに平行な異なる直線状ルートを閉鎖方向へ向って所定の順序で移動することにより、前記可変表示手段の表示領域を遮蔽可能な遮蔽手段と、
その遮蔽手段が前記閉鎖方向へ移動する際に最初にその閉鎖方向への移動を開始する扉部材を始動扉としたとき、その始動扉に駆動力を及ぼして移動を開始させるための駆動手段と、
同じく最後に前記閉鎖方向への移動を開始する扉部材を付勢扉としたとき、その付勢扉に作用して前記閉鎖方向とは反対の開放方向に付勢する付勢手段と、
前記始動扉と付勢扉との間で移動する扉部材を中間扉としたとき、前記始動扉と中間扉との間に配置され、前記駆動手段から前記始動扉へもたらされた駆動力を前記中間扉へ動力伝達するための第一の連動手段と、
前記中間扉と付勢扉との間に配置され、前記駆動手段から前記始動扉を経て前記中間扉へもたらされた駆動力を前記中間扉からさらに前記付勢扉へ動力伝達するための第二の連動手段と、
を備えることを特徴とする遊技機用演出装置。
【請求項３】
前記扉部材は、移動方向である左右方向に短辺部を有し、その直交方向である上下方向に長辺部を有する矩形板状に形成されるとともに、
前記遊技盤に固定されて前記可変表示手段を保持する矩形状のケーシングの上辺部及び下辺部には、前記直線状ルートを構成して前記扉部材の上下の短辺部を挿入するための溝部がそれぞれ形成され、
前記駆動手段及び連動手段は、いずれも前記ケーシングの上辺部側にのみ配置されている請求項１又は２に記載の遊技機用演出装置。
【請求項４】
前記連動手段は、前記移動方向に沿って前記ケーシングに固定配置された直線状の軌道部材上で接当してスライド移動するために、互いに隣り合う前記扉部材から直接又は他部材を介して間接的に各々突出形成されたスライダを有する請求項３に記載の遊技機用演出装置。
【請求項５】
前記付勢手段は、前記ケーシングと付勢扉との間に掛け渡された弾発部材で構成され、
その弾発部材は、前記ケーシングの上辺部側において前記軌道部材の近傍に位置するとともに、前記スライダの移動方向に沿って弾性変形する請求項４に記載の遊技機用演出装置。
【請求項６】
前記第一の連動手段は、前記始動扉と中間扉とに各々形成され、かつ前記移動方向に沿って移動したとき互いに係合可能な第一の係合部を有するとともに、
前記第二の連動手段は、前記中間扉と付勢扉とに各々形成され、かつ前記移動方向に沿って移動したとき互いに係合可能な第二の係合部を有し、
前記第一の係合部が移動して係合する際の第一の移動軌跡と前記第二の係合部が移動して係合する際の第二の移動軌跡とが、前後方向において互いに重なり合うように配置されている請求項２に記載の遊技機用演出装置。
【請求項７】
請求項１ないし６のいずれか１項に記載の遊技機用演出装置が前記遊技盤に固定配置されたことを特徴とする遊技機。
【発明の詳細な説明】
【技術分野】
【０００１】
本発明は、パチンコ機のセンター役物等に用いられる遊技機用演出装置と、そのような演出装置が遊技盤に配置されたパチンコ機等の遊技機に関する。
【背景技術】
【０００２】
例えば、スロットマシンにおいて、演出表示用の液晶表示装置（可変表示手段）の前方側に、左右スライド可能な扉部材が前後に複数（３枚）並べられた遮蔽部材を配置することが開示されている（特許文献１参照）。
【０００３】
【特許文献１】特開２００５−４０４１３号公報（図６）
【０００４】
このような遊技機によれば、演出表示を行う液晶表示装置の前方側で、前後に並ぶ複数（３枚）の扉部材が開閉移動することによって、遊技者の興趣を高めることができる。ところが、一連の開閉移動を行う複数の扉部材に対して複数（２個）の電動モータ（駆動手段）が配置されているため、装置が大型化して重量が増大するとともに、複数の電動モータの駆動を制御するために制御系も複雑になる。また、隣り合う扉部材の一方に長孔、他方にピンを設けて、複数の扉部材を連動させているため、ピンが長孔の両端を移動する間に両扉部材に遊び（非連動状態）を生じる場合がある。したがって、長孔とピンとの間の摩擦、扉部材相互間の摩擦、ケーシングの溝と扉部材との間の摩擦等により両扉部材の相互位置関係が安定せず、扉部材毎に停止位置がずれたり、開閉サイクル毎に連動関係がずれたりしやすくなる。
【発明の開示】
【発明が解決しようとする課題】
【０００５】
本発明の課題は、複数の扉部材が可変表示手段を遮蔽する方向又は露出させる方向に移動する際に、隣り合う扉部材の相互位置関係を安定させるとともに、構造の簡素化を図ることのできる遊技機用演出装置とそれを用いた遊技機を提供することにある。
【課題を解決するための手段及び発明の効果】
【０００６】
上記課題を解決するために、本発明の遊技機用演出装置は、
遊技盤に配置されてその遊技盤上での遊技状態の変化に応じた演出表示を行う可変表示手段と、
その可変表示手段の遊技者側となる前方側において複数の扉部材が前後方向に重なり合うように配置されるとともに、各扉部材が前記可変表示手段に沿って互いに平行な異なる直線状ルートを閉鎖方向へ向って所定の順序で移動することにより、前記可変表示手段の表示領域を遮蔽可能な遮蔽手段と、
その遮蔽手段が前記閉鎖方向へ移動する際に最初にその閉鎖方向への移動を開始する扉部材を始動扉としたとき、その始動扉に駆動力を及ぼして移動を開始させるための駆動手段と、
同じく最後に前記閉鎖方向への移動を開始する扉部材を付勢扉としたとき、その付勢扉に作用して前記閉鎖方向とは反対の開放方向に付勢する付勢手段と、
前記始動扉と付勢扉とを含む複数の扉部材が移動する際に互いに隣り合うこととなる扉部材間に配置され、前記駆動手段から前記始動扉へもたらされた駆動力を後続の扉部材へ順次動力伝達するための１又は複数の連動手段と、
を備えることを特徴とする。
【０００７】
このように、隣り合う扉部材間を連動手段（例えば長孔とピン）で動力伝達するとともに、駆動手段（例えば電動モータ）が始動扉に駆動力を及ぼして最初に閉鎖方向への移動を開始させ、付勢手段（例えば引張コイルばね）が付勢扉に作用して開放方向に付勢する。したがって、特に複数の扉部材を閉鎖方向（可変表示手段を遮蔽する方向）へ移動する場合に、隣り合う扉部材の相互位置関係が安定して、扉部材毎の停止位置のずれや、開閉サイクル毎の連動関係のずれが生じにくくなる。また、複数の扉部材に対して単一の駆動手段で駆動することも可能になるので、装置の小型化・軽量化や制御系の単純化を図ることができる。
【０００８】
そして、このような構成を採用することによって、
前記遮蔽手段を構成する複数の扉部材が前記可変表示手段の表示領域を外れた収納位置にて重なり合う開放状態において、前記駆動手段が前記始動扉を前記閉鎖方向へ駆動するとき、前記連動手段を介して前記複数の扉部材が順次前記閉鎖方向へ移動するとともに、前記付勢扉が前記付勢手段の付勢力に抗して前記閉鎖方向へ移動して、前記始動扉から付勢扉に至る複数の扉部材が各々の移動位置に展開して前記可変表示手段の表示領域を遮蔽する閉鎖状態へ移行する一方、
前記閉鎖状態において、前記駆動手段が前記始動扉を前記開放方向へ駆動するとき、前記付勢手段の付勢力と前記連動手段とを介し前記複数の扉部材が順次前記開放方向へ移動して、前記付勢扉から始動扉に至る複数の扉部材が前記収納位置にて重なり合って収容される前記開放状態へ復帰することができる。
【０００９】
また、上記課題を解決するために、本発明の遊技機用演出装置は、具体的態様として、
遊技盤に配置されてその遊技盤上での遊技状態の変化に応じた演出表示を行う可変表示手段と、
その可変表示手段の遊技者側となる前方側において３枚の扉部材が前後方向に重なり合うように配置されるとともに、各扉部材が前記可変表示手段に沿って互いに平行な異なる直線状ルートを閉鎖方向へ向って所定の順序で移動することにより、前記可変表示手段の表示領域を遮蔽可能な遮蔽手段と、
その遮蔽手段が前記閉鎖方向へ移動する際に最初にその閉鎖方向への移動を開始する扉部材を始動扉としたとき、その始動扉に駆動力を及ぼして移動を開始させるための駆動手段と、
同じく最後に前記閉鎖方向への移動を開始する扉部材を付勢扉としたとき、その付勢扉に作用して前記閉鎖方向とは反対の開放方向に付勢する付勢手段と、
前記始動扉と付勢扉との間で移動する扉部材を中間扉としたとき、前記始動扉と中間扉との間に配置され、前記駆動手段から前記始動扉へもたらされた駆動力を前記中間扉へ動力伝達するための第一の連動手段と、
前記中間扉と付勢扉との間に配置され、前記駆動手段から前記始動扉を経て前記中間扉へもたらされた駆動力を前記中間扉からさらに前記付勢扉へ動力伝達するための第二の連動手段と、
を備えることを特徴とする。
【００１０】
遮蔽手段が３枚の扉部材で構成される場合、始動扉と中間扉との間及び中間扉と付勢扉との間を連動手段（例えば長孔とピン）で動力伝達するとともに、駆動手段（例えば電動モータ）が始動扉に駆動力を及ぼして最初に閉鎖方向への移動を開始させ、付勢手段（例えば引張コイルばね）が付勢扉に作用して開放方向に付勢する。したがって、特に３枚の扉部材を閉鎖方向（可変表示手段を遮蔽する方向）へ移動する場合に、始動扉と中間扉との間及び中間扉と付勢扉との間の相互位置関係が安定して、扉部材毎の停止位置のずれや、開閉サイクル毎の連動関係のずれが生じにくくなる。また、３枚の扉部材に対して単一の駆動手段で駆動することも可能になるので、装置の小型化・軽量化や制御系の単純化を図ることができる。
【００１１】
そして、このような構成を採用することによって、
前記遮蔽手段を構成する３枚の扉部材が前記可変表示手段の表示領域を外れた収納位置にて重なり合う開放状態において、前記駆動手段が前記始動扉を前記閉鎖方向へ駆動するとき、前記第一の連動手段を介して前記中間扉が前記閉鎖方向へ移動し、前記第二の連動手段を介し前記付勢扉が前記付勢手段の付勢力に抗して前記閉鎖方向へ移動して、前記始動扉から中間扉を経て付勢扉に至る３枚の扉部材が各々の移動位置に展開して前記可変表示手段の表示領域を遮蔽する閉鎖状態へ移行する一方、
前記閉鎖状態において、前記駆動手段が前記始動扉を前記開放方向へ駆動するとき、前記付勢手段の付勢力と前記第一及び第二の連動手段とを介し前記３枚の扉部材が順次前記開放方向へ移動して、前記付勢扉から中間扉を経て始動扉に至る３枚の扉部材が前記収納位置にて重なり合って収容される前記開放状態へ復帰することができる。
【００１２】
これらの遊技機用演出装置において、
扉部材は、移動方向である左右方向に短辺部を有し、その直交方向である上下方向に長辺部を有する矩形板状に形成されるとともに、
遊技盤に固定されて可変表示手段を保持する矩形状のケーシングの上辺部及び下辺部には、直線状ルートを構成して扉部材の上下の短辺部を挿入するための溝部がそれぞれ形成され、
駆動手段及び連動手段は、いずれもケーシングの上辺部側にのみ配置されていることが望ましい。
【００１３】
このように、扉部材の下側短辺部には駆動手段や連動手段が設けられないので構造が簡素化されるとともに、移動の際に扉部材の下側短辺部（ケーシングの下辺部）が受ける抵抗が小さくなるので駆動手段にかかる負荷が小さくなる。
【００１４】
このとき、連動手段は、移動方向に沿ってケーシングに固定配置された直線状の軌道部材上で接当してスライド移動するために、互いに隣り合う扉部材から直接又は他部材を介して間接的に各々突出形成されたスライダを有することが望ましい。このように、連動手段として軌道部材上で接当してスライド移動するスライダを用いることによって、扉部材の直進性が向上し一層円滑な移動が可能になる。なお、軌道部材にはガイドレール、ガイド溝等が用いられる。
【００１５】
さらに、付勢手段は、ケーシングと付勢扉との間に掛け渡された弾発部材で構成され、その弾発部材は、ケーシングの上辺部側において軌道部材の近傍に位置するとともに、スライダの移動方向に沿って弾性変形することができる。このような弾発部材を設けることによって、付勢扉を前方側から見てその左右方向の振れ（揺動）を抑制することができ、隣り合う扉部材との相互位置関係を安定させることもできる。なお、弾発部材には引張コイルばね等が用いられる。
【００１６】
ところで、遮蔽手段が３枚の扉部材で構成される場合には、第一の連動手段は、始動扉と中間扉とに各々形成され、かつ移動方向に沿って移動したとき互いに係合可能な第一の係合部を有するとともに、第二の連動手段は、中間扉と付勢扉とに各々形成され、かつ移動方向に沿って移動したとき互いに係合可能な第二の係合部を有し、第一の係合部が移動して係合する際の第一の移動軌跡と第二の係合部が移動して係合する際の第二の移動軌跡とが、前後方向において互いに重なり合うように配置することができる。これによって、個々の扉部材の直進性が向上し、遮蔽手段全体としての円滑な移動が可能となる。
【００１７】
例えば、第一の連動手段は始動扉の係合ピンと中間扉の長孔（第一の係合部）とで構成する一方、第二の連動手段はガイドレール（軌道部材）上をスライド移動する中間扉側スライダと付勢扉側スライダ（第二の係合部）とで構成することができる。
【００１８】
そして、上記課題を解決するために、本発明の遊技機は、以上のような遊技機用演出装置が、遊技盤に固定配置されたことを特徴とする。
【００１９】
このように、複数の扉部材が可変表示手段を遮蔽する方向又は露出させる方向に移動する際に、隣り合う扉部材の相互位置関係が安定するとともに、遊技機としての構造の簡素化を図ることもできる。その際、扉部材毎の停止位置のずれや、移動サイクル毎の連動関係のずれを生じにくくなり、一層興趣を向上させることができる。
【００２０】
なお、本発明の遊技機には、（１）パチンコ機等の弾球遊技機、（２）スロットマシンやパチスロ機等の回胴式遊技機、（３）ポーカーゲーム機等の各種ゲーム機、等が含まれる。
【発明を実施するための最良の形態】
【００２１】
（実施例）
以下、本発明の実施の形態を図面を参照しつつ説明する。図１は本発明に係る遊技機用演出装置としてのセンター役物を備えたパチンコ機を例示する正面図である。図１に示すように、パチンコ機１（遊技機）の遊技盤２の盤面２ａ（前面）には、ほぼ左半周が内外２本の発射レール２ｂによって区画され、全体としてほぼ円形の遊技領域２ｃが形成されている。遊技領域２ｃのほぼ中央後方に配置されて遊技盤２上での遊技状態の変化に応じた演出表示を行う液晶表示部１０（可変表示手段）と、遊技盤２に固定されて液晶表示部１０を保持する矩形枠状のケーシング２０と、ケーシング２０の前方に固定されて液晶表示部１０を取り囲むように配置された前側装飾部３とを含むセンター役物１００（遊技機用演出装置）が遊技盤２に取り付けられている。
【００２２】
図２は本発明に係るセンター役物の一例を示し、スライド扉の開放状態における平面図、正面図及び側面図、図３はセンター役物の主要部の斜視図、図４はその平面図及び正面図、図５はＢ１−Ｂ１断面拡大図及びＡ１−Ａ１断面拡大図、図６はＣ１−Ｃ１断面拡大図及びＤ１−Ｄ１断面拡大図である。図２に示すように、センター役物１００はさらに、障子のようにスライド開閉する各３枚の扉部材３１，３２，３３を有する左右一対のスライド扉３０Ｌ，３０Ｒ（遮蔽手段）と、スライド扉３０Ｌ，３０Ｒのうちの始動扉３１，３１を各々駆動するための左右一対の電動モータ４０Ｌ，４０Ｒ（駆動手段）と、スライド扉３０Ｌ，３０Ｒのうちの付勢扉３３，３３を各々開放方向へ付勢するための左右一対の引張コイルばね５０Ｌ，５０Ｒ（弾発部材；付勢手段）と、スライド扉３０Ｌ，３０Ｒのうちの始動扉３１，３１から中間扉３２，３２へ各々動力伝達するための左右一対の第一係合部６０Ｌ，６０Ｒ（第一の連動手段）と、スライド扉３０Ｌ，３０Ｒのうちの中間扉３２，３２から付勢扉３３，３３へ各々動力伝達するための左右一対の第二係合部７０Ｌ，７０Ｒ（第二の連動手段）と、を備えている。
【００２３】
図２（ｂ）に示すように、センター役物１００の主要部は左右対称に形成・配置されているので、以下の説明においては、向って右側の構成部材で代表して記載する。その際右側を意味する「Ｒ」の符号を省略する。
【００２４】
図３及び図４に示す開放状態において、スライド扉３０は、３枚の扉部材３１，３２，３３が液晶表示部１０（図２参照）の前方側（遊技者側）で前後方向に重なり合う収納位置に配置されている。各扉部材３１，３２，３３は、液晶表示部１０に沿って互いに平行な異なる直線状ルートを閉鎖方向（図中左方向）へ向って順次移動することにより、液晶表示部１０の表示領域１１を遮蔽する（図２，図７参照）。なお、スライド扉３０を構成する各扉部材３１，３２，３３は、左右方向（移動方向）に短辺部３０ａ、上下方向（直交方向）に長辺部３０ｂを有し、ほぼ同じ大きさの矩形板状に形成されている。
【００２５】
電動モータ４０は、スライド扉３０が閉鎖方向（左方向）へ移動する際に、３枚の扉部材３１，３２，３３のうち最も後方側（奥側）に位置する始動扉３１に駆動力を及ぼして移動を開始させる。具体的には、電動モータ４０の回転駆動は、歯車列４１とラック機構４２を介して始動扉３１の直線移動に動力伝達されている。なお、符号４３は電動モータ４０の回転停止位置（扉部材３１，３２，３３の収納位置）を規定するためのフォトセンサ（検出手段）を示す。また、符号４４は、始動扉３１（又はラック機構４２）とケーシング２０（図２参照）との間に取り付けられ、始動扉３１の移動を円滑にするための一対のローラ（案内輪）を示す。
【００２６】
引張コイルばね５０は、３枚の扉部材３１，３２，３３のうち最も前方側（遊技者側）に位置して最後に閉鎖方向（左方向）への移動を開始する付勢扉３３と、ケーシング２０（図２参照）との間に掛け渡され、付勢扉３３に作用して閉鎖方向とは反対の開放方向（右方向）に付勢している。
【００２７】
第一係合部６０は始動扉３１と中間扉３２との間に配置され、電動モータ４０から始動扉３１へもたらされた駆動力を中間扉３２へ動力伝達する。一方、第二係合部７０は中間扉３２と付勢扉３３との間に配置され、電動モータ４０から始動扉３１を経て中間扉３２へもたらされた駆動力を、中間扉３２からさらに付勢扉３３へ動力伝達する。
【００２８】
具体的には図５に示すように、第一係合部６０は、始動扉３１から前方へ一体的に突出する係合ピン６１と、中間扉３２を吊下げ保持する保持板３４に形成された長孔６２とを有する。そして、係合ピン６１の先端部が左右方向に移動可能に長孔６２に係合している。また、第二係合部７０は、中間扉３２を吊下げ保持する保持板３４から突出形成された一対の中間扉側スライダ７２ａ，７２ｂと、付勢扉３３を吊下げ保持する保持板３５から突出形成された一対の付勢扉側スライダ７３ａ，７３ｂとを有する。そして、中間扉側スライダ７２ａ，７２ｂと付勢扉側スライダ７３ａ，７３ｂとは、左右方向に沿ってケーシング２０に固定配置された直線状のガイドレール２３（軌道部材）上で交互に（入れ子状に）配置されている。したがって、移動方向によって一方側のスライダが他方側のスライダに接当し、中間扉３２と付勢扉３３とを同じ方向にスライド移動させることができる。
【００２９】
図５に示すように、矩形枠状のケーシング２０の上辺部２０ａ（図２（ｂ）参照）には上方溝部２１（溝部）が形成されている。上方溝部２１は、扉部材３１，３２，３３の上端部側の短辺部３０ａ（図４（ｂ）参照）をそれぞれ挿入するための上部直線状ルートを構成するとともに、第一係合部６０及び第二係合部７０を収容している。また、引張コイルばね５０は、ケーシング２０の上辺部２０ａ側において、ガイドレール２３の近傍に平行状に配置されるとともに、スライダ７２ａ，７２ｂ，７３ａ，７３ｂの移動方向（左右方向）に沿って弾性変形する。さらに、第一係合部６０における係合ピン６１の移動軌跡と、第二係合部７０におけるスライダ７２ａ，７２ｂ，７３ａ，７３ｂの移動軌跡（ガイドレール２３）とは、前後方向において互いに重なり合うように（すなわち、上下方向において高さが一致するように）配置されている。
【００３０】
したがって、電動モータ４０、引張コイルばね５０、第一係合部６０及び第二係合部７０は、いずれもケーシング２０の上辺部２０ａ側に配置されることになる。
【００３１】
図６に示すように、矩形枠状のケーシング２０の下辺部２０ｂには下方溝部２２（溝部）が形成されている。下方溝部２２は、扉部材３１，３２，３３の下端部側の短辺部３０ａ（図４（ｂ）参照）をそれぞれ挿入するための下部直線状ルートを構成する。また、扉部材３２，３３には、下方溝部２２の案内壁内面２４及び／又は扉部材３２の下部表面を案内ガイドとして、上下方向の軸線Ｏ（図４参照）周りで回転可能な複数（例えば４個）の案内ローラ８２ａ，８２ｂ，８３ａ，８３ｂ（回転輪）が案内手段８０として配置されている。
【００３２】
具体的には、中間扉３２の下端部において、２個の中間扉用案内ローラ８２ａ，８２ｂがガイドレール２３と平行なＤ１−Ｄ１切断線に沿って配置され（図４参照）、ケーシング２０の下方溝部２２に形成された、前後に対向する案内壁内面２４に接当し得る。
【００３３】
また、付勢扉３３の下端部において、２個の付勢扉用案内ローラ８３ａ，８３ｂがガイドレール２３と平行なＣ１−Ｃ１切断線に沿って配置され（図４参照）ている。付勢扉用案内ローラ８３ａ，８３ｂは、前方側（遊技者側）においては、ともに下方溝部２２の案内壁内面２４に接当し、後方側（奥側）においては、一方の案内ローラ８３ｂが中間扉３２の下部表面に接当し得る。ただし、中間扉３２の表面に接当する付勢扉用案内ローラは移動に伴って入れ替わり、開放状態では右側の案内ローラ８３ｂ（図６（ａ）参照）、閉鎖状態では左側の案内ローラ８３ａとなる（図１１（ａ）参照）。
【００３４】
始動扉３１には、３枚の扉部材３１，３２，３３が各々の移動位置に展開して液晶表示部１０の表示領域１１を遮蔽する閉鎖状態へ移行したときに（図７参照）、始動扉３１をケーシング２０に対して磁気的に吸着保持させる吸着部材９０（保持手段）が設けられている（図１１参照）。具体的には、ケーシング２０の下辺部２０ｂの左右方向中央位置に永久磁石９１が埋設され、始動扉３１の下端部に鋼板９２（強磁性体）が固定され、磁気的な吸着力によって移動方向及び前後方向への変位を抑制している。
【００３５】
また、中間扉３２は、始動扉３１に設けられた鋼板９２が装入可能な空間Ｓを形成するための切欠部３２ａを有している。したがって、図６に示す開放状態において、３枚の扉部材３１，３２，３３が液晶表示部１０（図２参照）の前方側（遊技者側）で前後方向に重なり合う収納位置に配置されているとき、始動扉３１の鋼板９２を中間扉３２の切欠部３２ａに収容させることができる。
【００３６】
さらに、中間扉３２の切欠部３２ａが、中間扉３２の接当表面に付勢扉用案内ローラ８３ａを案内するための勾配面３２ｂ（傾斜面）に繋がる形で設けられているので、接当表面へのローラ８３ａの移動（乗り上げ）が円滑に行える。なお、切欠部３２ａとは反対側の中間扉３２の接当表面にも、付勢扉用案内ローラ８３ｂを案内するための勾配面３２ｃ（傾斜面）が設けられているので、接当表面へのローラ８３ｂの移動（乗り上げ）が円滑に行える。
【００３７】
以上で説明したセンター役物１００の作動について、図７〜図１５を参照しつつさらに説明する。電動モータ４０の駆動回転によって始動扉３１が移動方向（閉鎖方向又は開放方向）へ駆動されるとき、３枚の扉部材３１，３２，３３は、上部においては第一係合部６０及び第二係合部７０を介し、下部においては案内ローラ８０を介して移動する。
【００３８】
＜開放状態から閉鎖状態への移行＞
スライド扉３０は、図２〜図６に示す開放状態（３枚の扉部材３１，３２，３３が液晶表示部１０の表示領域１１を外れた収納位置にて前後方向に重なり合う状態）から、図１２〜図１５に示す中間状態を経て、図７〜図１１に示す閉鎖状態（３枚の扉部材３１，３２，３３が各々の移動位置に展開して液晶表示部１０の表示領域１１を遮蔽する状態）に移行する。
【００３９】
ケーシング２０の上辺部２０ａでは、開放状態において、電動モータ４０が始動扉３１を閉鎖方向（左方向）へ駆動すると、第一係合部６０の係合ピン６１が長孔６２内を移動する間、始動扉３１のみが閉鎖方向へ移動する（図５参照）。次に、第一係合部６０の係合ピン６１が長孔６２と係合することにより、始動扉３１と中間扉３２とが同時に閉鎖方向へ移動する（図５参照）。さらに、第二係合部７０の中間扉側スライダ７２ｂが付勢扉側スライダ７３ａに接当すると、始動扉３１及び中間扉３２とともに付勢扉３３が、引張コイルばね５０の付勢力に抗して（引張コイルばね５０を徐々に伸長させながら）閉鎖方向へ移動する（図１４参照）。その後、始動扉３１から中間扉３２を経て付勢扉３３に至る３枚の扉部材が各々の移動位置に展開し、閉鎖状態への移行が完了する（図１０参照）。
【００４０】
このときケーシング２０の下辺部２０ｂでは、中間扉用案内ローラ８２ａ，８２ｂが下方溝部２２の案内壁内面２４に接当して、ガイドレール２３を中心とする中間扉３２の前後揺動を防止する（図６，図１５，図１１参照）。また、閉鎖方向への移動前半では、付勢扉用案内ローラ８３ｂが下方溝部２２の案内壁内面２４と中間扉３２の下部表面とに接当し（図６参照）、閉鎖方向への移動後半では、付勢扉用案内ローラ８３ａが下方溝部２２の案内壁内面２４と中間扉３２の下部表面とに接当して（図１５，図１１参照）、ガイドレール２３を中心とする付勢扉３３の前後揺動を防止する。その後、閉鎖状態への移行が完了したとき、鋼板９２が永久磁石９１に吸着されることにより、始動扉３１がケーシング２０に固定される（図１１参照）。
【００４１】
＜閉鎖状態から開放状態への復帰＞
スライド扉３０は、図７〜図１１に示す閉鎖状態（３枚の扉部材３１，３２，３３が各々の移動位置に展開して液晶表示部１０の表示領域１１を遮蔽する状態）から、図１２〜図１５に示す中間状態を経て、図２〜図６に示す開放状態（３枚の扉部材３１，３２，３３が液晶表示部１０の表示領域１１を外れた収納位置にて前後方向に重なり合う状態）に復帰する。
【００４２】
ケーシング２０の上辺部２０ａでは、閉鎖状態において、電動モータ４０が始動扉３１を開放方向（右方向）へ駆動すると、付勢扉３３は引張コイルばね５０の付勢力によって（引張コイルばね５０を徐々に縮小させながら）開放方向へ移動する。このとき、第二係合部７０の付勢扉側スライダ７３ａは中間扉側スライダ７２ｂに接当し、第一係合部６０の長孔６２は係合ピン６１と係合するので、３枚の扉部材３１，３２，３３は展開状態で開放方向へ移動する（図１０参照）。
次に、引張コイルばね５０が最小寸法まで縮小して、第二係合部７０の付勢扉側スライダ７３ｂが収納位置に達すると、第一係合部６０の係合ピン６１が長孔６２内を移動する間、始動扉３１のみが閉鎖方向へ移動する。その後、第一係合部６０の係合ピン６１が長孔６２と係合し、始動扉３１と中間扉３２とが同時に開放方向へ移動して、第二係合部７０の中間扉側スライダ７２ａが付勢扉側スライダ７３ａに接当したとき、開放状態への復帰が完了する（図５参照）。なお、このときフォトセンサ４３の検出により、電動モータ４０の回転が停止する。
【００４３】
このときケーシング２０の下辺部２０ｂでは、鋼板９２と永久磁石９１との吸着が解除され、中間扉用案内ローラ８２ａ，８２ｂが下方溝部２２の案内壁内面２４に接当して、ガイドレール２３を中心とする中間扉３２の前後揺動を防止する（図１１，図１５，図６参照）。また、開放方向への移動前半では、付勢扉用案内ローラ８３ａが下方溝部２２の案内壁内面２４と中間扉３２の下部表面とに接当し（図１１，図１５参照）、開放方向への移動後半では、付勢扉用案内ローラ８３ｂが下方溝部２２の案内壁内面２４と中間扉３２の下部表面とに接当し（図６参照）、ガイドレール２３を中心とする付勢扉３３の前後揺動を防止する。
【００４４】
このように、ケーシング２０の上辺部２０ａでは、始動扉３１と中間扉３２との間及び中間扉３２と付勢扉３３との間を係合部６０，７０で動力伝達するとともに、電動モータ４０が始動扉３１に駆動力を及ぼして最初に閉鎖方向への移動を開始させ、引張コイルばね５０が付勢扉３３に作用して開放方向に付勢する。したがって、特に３枚の扉部材３１，３２，３３を閉鎖方向へ移動する場合に、始動扉３１と中間扉３２との間及び中間扉３２と付勢扉３３との間の相互位置関係が安定して、扉部材毎の停止位置のずれや、開閉サイクル毎の連動関係のずれが生じにくくなる。また、３枚の扉部材３１，３２，３３に対して単一の電動モータ４０で駆動するので、センター役物１００の小型化・軽量化や制御系の単純化を図ることができる。
【００４５】
一方、ケーシング２０の下辺部２０ｂでは、３枚の扉部材３１，３２，３３が閉鎖方向又は開放方向に移動する際に、扉部材３１，３２，３３の下部側の姿勢を案内ローラ８０により安定させることができる。案内ローラ８０によって、ガイドレール２３上のスライダ７２ａ，７２ｂ，７３ａ，７３ｂを中心とする扉部材３１，３２，３３の前後方向の振れ（揺動）を抑制することができる。また、扉部材３１，３２，３３の下部には電動モータ４０や係合部６０，７０が設けられないので構造が簡素化されるとともに、移動の際に扉部材３１，３２，３３の下部が受ける抵抗が小さくなるので電動モータ４０にかかる負荷が小さくなる。
【図面の簡単な説明】
【００４６】
【図１】本発明に係る遊技機用演出装置としてのセンター役物を備えたパチンコ機を例示する正面図。
【図２】本発明に係るセンター役物の一例を示し、スライド扉の開放状態における平面図、正面図及び側面図。
【図３】図２の主要部の斜視図。
【図４】図３の平面図及び正面図。
【図５】図２（ｂ）又は図４（ｂ）のＢ１−Ｂ１断面拡大図及びＡ１−Ａ１断面拡大図。
【図６】図２（ｂ）又は図４（ｂ）のＣ１−Ｃ１断面拡大図及びＤ１−Ｄ１断面拡大図。
【図７】スライド扉の閉鎖状態における平面図及び正面図。
【図８】図７の主要部の斜視図。
【図９】図８の平面図及び正面図。
【図１０】図７（ｂ）又は図９（ｂ）のＢ２−Ｂ２断面拡大図及びＡ２−Ａ２断面拡大図。
【図１１】図７（ｂ）又は図９（ｂ）のＣ２−Ｃ２断面拡大図及びＤ２−Ｄ２断面拡大図。
【図１２】スライド扉の中間状態における正面図。
【図１３】図１２の主要部の平面図及び正面図。
【図１４】図１２又は図１３（ｂ）のＢ３−Ｂ３断面拡大図及びＡ３−Ａ３断面拡大図。
【図１５】図１２又は図１３（ｂ）のＣ３−Ｃ３断面拡大図及びＤ３−Ｄ３断面拡大図。
【符号の説明】
【００４７】
１          パチンコ機（遊技機）
２          遊技盤
２ａ        盤面
１０        液晶表示部（可変表示手段）
１１        表示領域
２０        ケーシング
２１        上方溝部（溝部）
２２        下方溝部（溝部）
２３        ガイドレール（軌道部材）
２４        案内壁内面
３０        スライド扉（遮蔽手段）
３１        始動扉（扉部材）
３２        中間扉（扉部材）
３２ａ      切欠部
３２ｂ      勾配面（傾斜面）
３３        付勢扉（扉部材）
４０        電動モータ（駆動手段）
５０        引張コイルばね（弾発部材；付勢手段）
６０        第一係合部（第一の連動手段）
６１        係合ピン
６２        長孔
７０        第二係合部（第二の連動手段）
７２ａ，７２ｂ  中間扉側スライダ
７３ａ，７３ｂ  付勢扉側スライダ
８０        案内ローラ（回転輪；案内手段）
８２ａ，８２ｂ  中間扉用案内ローラ（回転輪；案内手段）
８３ａ，８３ｂ  付勢扉用案内ローラ（回転輪；案内手段）
９０        吸着部材（保持手段）
９１        永久磁石
９２        鋼板（強磁性体）
１００      センター役物（遊技機用演出装置）
Ｏ          回転軸線
【図１】
2008220694.tif 000003
【図２】
2008220694.tif 000004
【図３】
2008220694.tif 000005
【図４】
2008220694.tif 000006
【図５】
2008220694.tif 000007
【図６】
2008220694.tif 000008
【図７】
2008220694.tif 000009
【図８】
2008220694.tif 000010
【図９】
2008220694.tif 000011
【図１０】
2008220694.tif 000012
【図１１】
2008220694.tif 000013
【図１２】
2008220694.tif 000014
【図１３】
2008220694.tif 000015
【図１４】
2008220694.tif 000016
【図１５】
2008220694.tif 000017